【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
ワークフロークライアントと通信可能な、複数の承認者からの承認によってアクティビティが承認完了状態となる合議アクティビティを含むワークフローを制御するワークフローシステムを管理するワークフローサーバにおいて、
前記承認者の識別情報に対応する認証情報と、前記合議アクティビティを承認する複数の承認者の識別情報とを記憶する記憶手段と、
前記合議アクティビティの承認処理を行う複数の承認者のうち第１の承認者からの要求に応じて、当該合議アクティビティの承認処理を受け付ける承認画面の画面情報を出力する出力手段と、
前記出力手段により出力された承認画面情報に基づく承認画面の表示後に前記複数の承認者のうち少なくとも第２の承認者の認証情報を受け付けた当該認証情報を受信する認証情報受信手段と、
前記認証情報受信手段により受信した認証情報と、前記記憶手段に記憶された認証情報とを用いて、前記承認画面に対応する合議アクティビティを承認完了状態にする承認完了手段と
を備えることを特徴とするワークフローサーバ。
【請求項２】
前記承認完了手段は、
前記認証情報受信手段により受信した認証情報と、前記記憶手段に記憶された認証情報とを用いて、認証できたと判定した場合に、前記承認画面に対応する合議アクティビティを承認完了状態にすること
を特徴とする請求項１に記載のワークフローサーバ。
【請求項３】
前記第１の承認者の認証情報を受信する画面要求者認証情報受信手段と、
前記画面要求者認証情報受信手段により受信した認証情報と、前記記憶手段に記憶された認証情報とを用いて、前記第１の承認者の認証を行う画面要求者認証認証手段とを更に備え、
前記承認完了手段は、
前記画面要求者認証認証手段により前記第１の承認者の認証が行われた後に、前記認証情報受信手段により受信した認証情報と、前記記憶手段に記憶された認証情報とを用いて前記第２の承認者の認証を行い、前記承認画面に対応する合議アクティビティを承認完了状態にすること
を特徴とする請求項１または２に記載のワークフローサーバ。
【請求項４】
前記認証情報とは、パスワード及び署名のうち少なくとも１種類の情報を含むこと
を特徴とする請求項１乃至３のいずれか１項に記載のワークフローサーバ。
【請求項５】
前記認証情報とは、署名情報であって、
前記認証情報受信手段は、
前記出力手段により出力された承認画面情報に基づく承認画面の表示後に前記複数の承認者のうち前記第１の承認者及び少なくとも第２の承認者の署名情報を受け付けた当該認証情報を受信し、
前記認証情報受信手段により受信した複数の承認者の署名情報を１つの画像情報として記憶する複数署名情報記憶手段を更に備えること
を特徴とする請求項１乃至４のいずれか１項に記載のワークフローサーバ。
【請求項６】
ワークフロークライアントとワークフローサーバとを含み、複数の承認者からの承認によってアクティビティが承認完了状態となる合議アクティビティを含むワークフローを制御するワークフローシステムであって、
前記ワークフローサーバは、
前記承認者の識別情報に対応する認証情報と、前記合議アクティビティを承認する複数の承認者の識別情報とを記憶する記憶手段と、
前記合議アクティビティの承認処理を行う複数の承認者のうち第１の承認者からの要求に応じて、当該合議アクティビティの承認処理を受け付ける承認画面の画面情報を出力する出力手段と、
前記出力手段により出力された承認画面情報に基づく承認画面の表示後に前記複数の承認者のうち少なくとも第２の承認者の認証情報を受け付けた当該認証情報を受信する認証情報受信手段と、
前記認証情報受信手段により受信した認証情報と、前記記憶手段に記憶された認証情報とを用いて、前記承認画面に対応する合議アクティビティを承認完了状態にする承認完了手段と
を備え、
前記ワークフロークライアントは、
前記出力手段により出力された画面情報を用いて前記承認画面を表示する承認画面表示手段と、
前記承認画面表示手段により承認画面を表示した後に、前記複数の承認者のうち少なくとも第２の承認者の認証情報の入力を受け付ける認証情報受付手段と、
前記認証情報受付手段により受け付けた認証情報を前記ワークフローサーバに送信する認証情報送信手段と
を備えることを特徴とするワークフローシステム。
【請求項７】
ワークフロークライアントと通信可能な、複数の承認者からの承認によってアクティビティが承認完了状態となる合議アクティビティを含むワークフローを制御するワークフローシステムを管理し、前記承認者の識別情報に対応する認証情報と、前記合議アクティビティを承認する複数の承認者の識別情報とを記憶する記憶手段を備えるワークフローサーバにおける処理方法であって、
前記ワークフローサーバが、
前記合議アクティビティの承認処理を行う複数の承認者のうち第１の承認者からの要求に応じて、当該合議アクティビティの承認処理を受け付ける承認画面の画面情報を出力する出力ステップと、
前記出力ステップにより出力された承認画面情報に基づく承認画面の表示後に前記複数の承認者のうち少なくとも第２の承認者の認証情報を受け付けた当該認証情報を受信する認証情報受信ステップと、
前記認証情報受信ステップにより受信した認証情報と、前記記憶手段に記憶された認証情報とを用いて、前記承認画面に対応する合議アクティビティを承認完了状態にする承認完了ステップと
を実行することを特徴とする処理方法。
【請求項８】
ワークフロークライアントと、承認者の識別情報に対応する認証情報と、複数の承認者からの承認によってアクティビティが承認完了状態となる合議アクティビティを承認する複数の承認者の識別情報とを記憶する記憶手段を備えるワークフローサーバとを含み、前記合議アクティビティを含むワークフローを制御するワークフローシステムにおける処理方法であって、
前記ワークフローサーバが、
前記合議アクティビティの承認処理を行う複数の承認者のうち第１の承認者からの要求に応じて、当該合議アクティビティの承認処理を受け付ける承認画面の画面情報を出力する出力ステップと、
前記出力ステップにより出力された承認画面情報に基づく承認画面の表示後に前記複数の承認者のうち少なくとも第２の承認者の認証情報を受け付けた当該認証情報を受信する認証情報受信ステップと、
前記認証情報受信ステップにより受信した認証情報と、前記記憶手段に記憶された認証情報とを用いて、前記承認画面に対応する合議アクティビティを承認完了状態にする承認完了ステップと
を実行し、
前記ワークフロークライアントが、
前記出力ステップにより出力された画面情報を用いて前記承認画面を表示する承認画面表示ステップと、
前記承認画面表示ステップにより承認画面を表示した後に、前記複数の承認者のうち少なくとも第２の承認者の認証情報の入力を受け付ける認証情報受付ステップと、
前記認証情報受付ステップにより受け付けた認証情報を前記ワークフローサーバに送信する認証情報送信ステップと
を実行することを特徴とする処理方法。
【請求項９】
ワークフロークライアントと通信可能な、複数の承認者からの承認によってアクティビティが承認完了状態となる合議アクティビティを含むワークフローを制御するワークフローシステムを管理し、前記承認者の識別情報に対応する認証情報と、前記合議アクティビティを承認する複数の承認者の識別情報とを記憶する記憶手段を備えるワークフローサーバで実行可能なプログラムであって、
前記ワークフローサーバを、
前記合議アクティビティの承認処理を行う複数の承認者のうち第１の承認者からの要求に応じて、当該合議アクティビティの承認処理を受け付ける承認画面の画面情報を出力する出力手段と、
前記出力手段により出力された承認画面情報に基づく承認画面の表示後に前記複数の承認者のうち少なくとも第２の承認者の認証情報を受け付けた当該認証情報を受信する認証情報受信手段と、
前記認証情報受信手段により受信した認証情報と、前記記憶手段に記憶された認証情報とを用いて、前記承認画面に対応する合議アクティビティを承認完了状態にする承認完了手段
として機能させるためのプログラム。
【請求項１０】
ワークフロークライアントと、承認者の識別情報に対応する認証情報と、複数の承認者からの承認によってアクティビティが承認完了状態となる合議アクティビティを承認する複数の承認者の識別情報とを記憶する記憶手段を備えるワークフローサーバとを含み、前記合議アクティビティを含むワークフローを制御するワークフローシステムで実行可能なプログラムであって、
前記ワークフローサーバを、
前記合議アクティビティの承認処理を行う複数の承認者のうち第１の承認者からの要求に応じて、当該合議アクティビティの承認処理を受け付ける承認画面の画面情報を出力する出力手段と、
前記出力手段により出力された承認画面情報に基づく承認画面の表示後に前記複数の承認者のうち少なくとも第２の承認者の認証情報を受け付けた当該認証情報を受信する認証情報受信手段と、
前記認証情報受信手段により受信した認証情報と、前記記憶手段に記憶された認証情報とを用いて、前記承認画面に対応する合議アクティビティを承認完了状態にする承認完了手段
として機能させ、
前記ワークフロークライアントを、
前記出力手段により出力された画面情報を用いて前記承認画面を表示する承認画面表示手段と、
前記承認画面表示手段により承認画面を表示した後に、前記複数の承認者のうち少なくとも第２の承認者の認証情報の入力を受け付ける認証情報受付手段と、
前記認証情報受付手段により受け付けた認証情報を前記ワークフローサーバに送信する認証情報送信手段
として機能させるためのプログラム。
【手続補正２】
【補正対象書類名】明細書
【補正対象項目名】０００８
【補正方法】変更
【補正の内容】
【０００８】
そこで、本発明の目的は、合議アクティビティの承認者の認証情報を用いて、当該合議アクティビティを承認完了状態にするワークフローシステムを提供することである。
【手続補正３】
【補正対象書類名】明細書
【補正対象項目名】０００９
【補正方法】変更
【補正の内容】
【０００９】
ワークフロークライアントと通信可能な、複数の承認者からの承認によってアクティビティが承認完了状態となる合議アクティビティを含むワークフローを制御するワークフローシステムを管理するワークフローサーバにおいて、前記承認者の識別情報に対応する認証情報と、前記合議アクティビティを承認する複数の承認者の識別情報とを記憶する記憶手段と、前記合議アクティビティの承認処理を行う複数の承認者のうち第１の承認者からの要求に応じて、当該合議アクティビティの承認処理を受け付ける承認画面の画面情報を出力する出力手段と、前記出力手段により出力された承認画面情報に基づく承認画面の表示後に前記複数の承認者のうち少なくとも第２の承認者の認証情報を受け付けた当該認証情報を受信する認証情報受信手段と、前記認証情報受信手段により受信した認証情報と、前記記憶手段に記憶された認証情報とを用いて、前記承認画面に対応する合議アクティビティを承認完了状態にする承認完了手段とを備えることを特徴とするワークフローサーバ。
【手続補正４】
【補正対象書類名】明細書
【補正対象項目名】００１０
【補正方法】変更
【補正の内容】
【００１０】
本発明によれば、合議アクティビティの承認者の認証情報を用いて、当該合議アクティビティを承認完了状態にするワークフローシステムを提供することができる。